(57)【要約】【課題】  遠赤外線とマイナスイオンを相乗的に作用させ、使用者の健康増進に貢献できる安価で寝心地・着心地等のよい中綿入り繊維製品を得る。【解決手段】  遠赤外線放射性繊維を含む中綿１１を表地１２で包んで敷布団１０を構成する。表地１２の少なくとも人体Ｂと接触する領域（好ましくは上面側の全領域）にα線及びβ線のいずれか一方又は両方を放射してγ線を放射しない天然放射性稀有元素鉱物の微粉末を含有したマイナスイオン発生性繊維を含む機能布１２ａを用いる。遠赤外線放射性繊維を含む中綿２１を表地２２で包んで掛布団２０を構成する。表地２２の少なくとも人体Ｂと接触する領域（好ましくは下面側の全領域）に前記マイナスイオン発生性繊維を含む機能布２２ａを用いる。【選択図】        図１
2006305304.tif 000002
【特許請求の範囲】
【請求項１】
遠赤外線放射性繊維を含む中綿を表地で包み、前記表地の少なくとも人体と接触する領域にα線及びβ線のいずれか一方又は両方を放射してγ線を放射しない天然放射性稀有元素鉱物の微粉末を含有したマイナスイオン発生性繊維を含む機能布を用いたことを特徴とする中綿入り繊維製品。
【請求項２】
遠赤外線放射性繊維を含む中綿を表地で包み、表地の少なくとも上面側の全領域にα線及びβ線のいずれか一方又は両方を放射してγ線を放射しない天然放射性稀有元素鉱物の微粉末を含有したマイナスイオン発生性繊維を含む機能布を用いてなる敷布団と、
遠赤外線放射性繊維を含む中綿を表地で包み、表地の少なくとも下面側の全領域にα線及びβ線のいずれか一方又は両方を放射してγ線を放射しない天然放射性稀有元素鉱物の微粉末を含有したマイナスイオン発生性繊維を含む機能布を用いてなる掛布団とからなることを特徴とする寝具用布団。
【請求項３】
前記遠赤外線放射性繊維は、遠赤外線放射性物質を練り込んだ合成繊維である請求項１又は２記載の中綿入り繊維製品又は寝具用布団。
【請求項４】
前記マイナスイオン発生性繊維は、天然放射性稀有元素鉱物の微粉末を練り込んだ合成繊維である請求項１〜３のいずれか一項に記載の中綿入り繊維製品又は寝具用布団。
【請求項５】
前記天然放射性稀有元素鉱物は、ゼノタイムである請求項１〜４のいずれか一項に記載の中綿入り繊維製品又は寝具用布団。
【請求項６】
前記機能布を静置した状態で前記機能布に接する空気中のマイナスイオンが１０００個／ｍｌ以上である請求項１〜５のいずれか一項に記載の中綿入り繊維製品又は寝具用布団。
【発明の詳細な説明】
【技術分野】
【０００１】
本発明は、中綿を表地で包んでなる寝具用布団等の中綿入り繊維製品に関する。
【背景技術】
【０００２】
従来から、遠赤外線には、人体の水分子に吸収されやすい波長のエネルギーにより細胞を活性化し、血液の流れをよくするというマイクロマッサージ作用が認められている。また、天然放射性稀有元素を含有する鉱物から発生するマイナスイオンには、体内の酸素供給速度を早め、血液を弱アルカリ性にし、血液浄化、新陳代謝促進、精神安定化、自律神経調整、殺菌免疫等の健康増進作用が確認されている。
【０００３】
従来、布団やマットレス等の中綿入り繊維製品において、遠赤外線による作用とマイナスイオンによる作用を両立させる技術が提案されている。例えば、特許文献１には、遠赤外線放射性化合物を含むポリエステル繊維の表面に天然放射性稀有元素鉱物の微粒子を固着した「マイナスイオン放射繊維」を布団綿に用いた布団が記載されている。特許文献２には、遠赤外線とマイナスイオンを発生する「セラミックボール」を収容したネット状の包袋を配した布団等が記載されている。その他、特許文献３，４を挙げることができる。
【特許文献１】特開２００４−６８２１５公報
【特許文献２】特開２００４−５７５０４公報
【特許文献３】登録実用新案第３０６９７０７号公報
【特許文献４】特開２００２−３３９２５２公報
【発明の開示】
【発明が解決しようとする課題】
【０００４】
ところが、特許文献１の布団によると、布団綿を構成する繊維に遠赤外線放射性化合物と天然放射性稀有元素鉱物粒子とを含ませているので、高機能繊維の使用量がかさみ、布団の製造コストが高くつくという問題点があった。特許文献２の布団は、遠赤外線効果とマイナスイオン効果を「セラミックボール」の形態で両立させているため、人体への局部的な効果は期待できても、就寝中の人体全体に効果が及ばず、大量に使用した場合は、布団が重くなり、寝心地が悪くなるという問題点があった。
【０００５】
本発明の目的は、上記課題を解決し、遠赤外線とマイナスイオンを相乗的に作用させて、使用者の健康増進に貢献できる安価で寝心地のよい中綿入り繊維製品を提供することにある。
【課題を解決するための手段】
【０００６】
上記の課題を解決するために、本発明の中綿入り繊維製品は、遠赤外線放射性繊維を含む中綿を表地で包み、前記表地の少なくとも人体と接触する領域にα線及びβ線のいずれか一方又は両方を放射してγ線を放射しない天然放射性稀有元素鉱物の微粉末を含有したマイナスイオン発生性繊維を含む機能布を用いたことを特徴とする。なお、天然放射性稀有元素鉱物は天然放射線稀有元素鉱物と同義であり、マイナスイオン発生性繊維はマイナスイオン放射性繊維と同義である。
【０００７】
ここで、中綿入り繊維製品としては、特に限定されないが、例えば、寝具用布団（敷布団、掛布団）、肌掛布団、枕、マットレス、寝袋、ベッドパッド、ガウン、パジャマ等、中綿を表地で包んだ各種繊維製品を挙げることができる。
【０００８】
寝具用布団の場合、遠赤外線放射性繊維を含む中綿を表地で包み、表地の少なくとも上面側の全領域にα線及びβ線のいずれか一方又は両方を放射してγ線を放射しない天然放射性稀有元素鉱物の微粉末を含有したマイナスイオン発生性繊維を含む機能布を用いてなる敷布団と、遠赤外線放射性繊維を含む中綿を表地で包み、表地の少なくとも下面側の全領域にα線及びβ線のいずれか一方又は両方を放射してγ線を放射しない天然放射性稀有元素鉱物の微粉末を含有したマイナスイオン発生性繊維を含む機能布を用いてなる掛布団とからなるものが好ましい。
【０００９】
［中綿について］
中綿は、一部又は全部を遠赤外線放射性繊維で構成することができる。遠赤外線放射性繊維は遠赤外線放射性物質を含有する繊維である。
繊維は、特に限定されず、天然繊維、合成繊維、天然・合成混合繊維を例示できる。
遠赤外線放射性物質としては、特に限定されないが、酸化チタン、シリカ等の遠赤外線放射性セラミックスを例示できる。
繊維における遠赤外線放射性物質の含有率は０．３〜８質量％が好ましい。
繊維に対する遠赤外線放射性物質の含有方法は、特に限定されず、繊維表面への付着でも繊維材料中への練り込みでもよいが、クリーニングしても該物質が脱落しない点で練り込みが好ましい。
好ましい遠赤外線放射性繊維の具体例として、遠赤外線放射性物質を０．３〜８質量％の割合で練り込んだ合成繊維（ポリエステル繊維、レーヨン繊維等）を例示できる。
中綿に対する遠赤外線放射性繊維の混合率は、３０〜１００質量％が望ましい。混合率が３０質量％未満になると、遠赤外線放射量が不足しやすい。
【００１０】
［表地について］
表地には、使用者の身体と接触する領域にα線及びβ線のいずれか一方又は両方を放射してγ線を放射しない天然放射性稀有元素鉱物の微粉末を含有したマイナスイオン発生性繊維を含む機能布が用いられる。このマイナスイオン発生性繊維は、電離作用により周囲の空気中にマイナスイオンを生じさせる。
繊維は、特に限定されず、天然繊維、合成繊維、天然・合成混合繊維を例示できる。
α線及びβ線のいずれか一方又は両方を放射してγ線を放射しない天然放射性稀有元素鉱物としては、特に限定されないが、ゼノタイムを好ましく例示できる。ゼノタイムはα線及びβ線の両方を放射する。
繊維における天然放射性稀有元素鉱物の微粉末の含有率は０．３〜８質量％が好ましい。
繊維に対する天然放射性稀有元素鉱物の微粉末を含有方法は、特に限定されず、繊維表面への付着でも繊維材料中への練り込みでもよいが、クリーニングしても該物質が脱落しない点で練り込みが好ましい。
好ましいマイナスイオン発生性繊維の具体例として、前記天然放射性稀有元素鉱物の微粉末を０．３〜８質量％の割合で練り込んだ合成繊維（ポリエステル繊維、レーヨン繊維等）を例示できる。
機能布に対する前記合成繊維の混合率は、３０〜１００質量％が望ましい。混合率が３０質量％未満になると、マイナスイオン放射量（発生量）が不足しやすい。
【００１１】
［α線、β線、γ線について］
天然放射性稀有元素鉱物から放射される放射線は、一般的には微弱であり、また繊維に含有させる場合にはその含有量に限りがあるから、人体への悪影響は通常は考えられない。しかし、本発明ではさらなる安全性・安心感を確保するために、α線及びβ線のいずれか一方又は両方を放射してγ線を放射しない天然放射性稀有元素鉱物を選別して用いることとしている。
すなわち、国の放射線防護基準で定められている公衆の線量限度は１ｍＳｖ／年であるが、これは、自然界から受ける被爆量を除く、原子力発電、医療関係等から受けるγ線量を指す。一方、一般的に外部被爆の対象の場合には、α線、β線は人体への悪影響がないとされている。そこで、本発明では、γ線については特に厳格に考え、これを放射しないものに限定している。
【００１２】
α線、β線の作用により、機能布が静置状態であっても、機能布の近傍の空気中にはマイナスイオンが発生する。そして、機能布を静置した状態で機能布に接する空気中のマイナスイオンが１０００個／ｍｌ（ｃｃ）以上であることが好ましく、１０００〜３０００個／ｍｌがより好ましい。
【発明の効果】
【００１３】
本発明の中綿入り繊維製品は、遠赤外線を中綿から放射し、マイナスイオンを表地から放射し（空気中に発生させ）、遠赤外線とマイナスイオンの相乗作用によるホルミシス効果（温泉効果）を発揮する。特に、マイナスイオンを布地の形態で人体と接触する領域から放射するので、使用者は適量のマイナスイオンを効率よく安定的に浴びることができるうえ、快適な寝心地・着心地等が得られる。また、嵩高の中綿には比較的安価な材料を使用し、中綿入り繊維製品の製造コストをおさえることができる利点もある。
【発明を実施するための最良の形態】
【００１４】
以下、本発明を実施するための最良の形態を図面に基づいて説明する。図１に示すように、この実施形態は寝具用布団であって、敷布団１０と掛布団２０とを組み合わせて構成され、敷布団１０及び掛布団２０のそれぞれに本発明の特徴的構成が具体化されている。
【００１５】
敷布団１０は、中綿１１を表地１２で包んで構成されている。中綿１１には、遠赤外線放射性繊維が含まれている。表地１２には、その全体（上面側側の全領域と下面側の全領域）にマイナスイオン発生性繊維を含む機能布１２ａが使用されている。敷布団１０の表地１２において、人体Ｂと頻繁に接触する領域は上面側の中央部であるが、本例では人体Ｂと接触する可能性のある上面側の全領域に機能布１２ａが使用され、さらに、敷布団１０を反転使用しても機能布１２ａが人体Ｂと接触するように、下面側の全領域にも機能布１２ａが使用されている。
【００１６】
掛布団２０は、中綿２１を表地２２で包んで構成されている。中綿２１には、遠赤外線放射性繊維が含まれている。表地２２には、上面側側の全領域にマイナスイオン発生性繊維を含まない布が使用され、下面側の全領域にマイナスイオン発生性繊維を含む機能布２２ａが使用されている。掛布団２０の表地２２において、人体Ｂと頻繁に接触する領域は下面側の中央部であるが、本例では人体Ｂと接触する可能性のある下面側の全領域に機能布２２ａが使用されている。
【実施例】
【００１７】
次に、本発明の実施例について説明する。この実施例では、敷布団１０と掛布団２０に同じ組成の中綿１１，２１を使用し、表地１２，２２に同じ組成の機能布１２ａ，２２ａを使用した。以下の説明中、「％」は質量基準である。
【００１８】
遠赤外線放射セラミックス（ジルコニア、チタニア、シリカ及び希土類の微粉末）をポリエステル繊維中に１％混入し、遠赤外線放射性ポリエステル繊維を得た。そして、このポリエステル繊維１００％で中綿１１，２１を製造した。但し、遠赤外線放射セラミックスを含まない通常のポリエステル繊維を混合してもよい。
【００１９】
天然放射性稀有元素鉱物であるゼノタイムの微粉末とその他の鉱物であるジルコニウム、酸化チタン、石英及び閃緑石の微粉末との混合物（後述するとおり、静置で１５４０〜１６６５個／ｍｌのマイナスイオンを放射させるもの）をポリエステル繊維中に５質量％練り込み、マイナスイオン発生性（放射性）ポリエステル繊維を得た。このポリエステル繊維１００％で機能布１２ａ，２２ａを織製した。但し、該鉱物微粉末を含まない通常のポリエステル繊維を混合してもよい。
【００２０】
上面側及び下面側に機能布１２ａを用いて表地１２を縫製し、表地１２で１．６ｋｇの中綿１１を包み、敷布団１０を製作した。また、上面側には普通の木綿布を用い下面側には機能布２２ａを用いて表地２２を縫製し、表地２２で０．９ｋｇの中綿２１を包み、掛布団２０を製作した。
【００２１】
［γ線量の測定］
まず、機能布１２ａ，２２ａについて、次の方法でγ線量を測定した。
測定者：財団法人放射線計測協会
測定方法：ＮａＩシンチレーション式サーベイメータを用いた直接サーベイ法
測定器：Ａｌｏｋａ社製「ＴＣＳ−１７１／Ｒ０５８６９」
試  料：機能布から約３０ｃｍ×約３０ｃｍの正方形に切り出した試料
測定要領：図２３（ａ）に示すように、床から１ｍ上で垂直姿勢にした試料の中心にサーベイメータの検知部を当てた。
測定結果：バックグラウンド（試料の無いとき）のγ線量当量率は０．０７μＳｖ／ｈであった。これに対し、試料のγ線量当量率は０．０７μＳｖ／ｈであった。
測定結果の考察：機能布１２ａ，２２ａの試料のγ線量当量率０．０７μＳｖ／ｈがバックグラウンドのそれと変わらなかったことから、機能布１２ａ，２２ａからγ線は放射されていないことが判明した。従って、当然のことながら人体への悪影響はないということになる。なお、γ線量当量率０．０７μＳｖ／ｈを年間の線量に換算すると０．６１ｍＳｖ／年であるから、自然界から受ける被爆量（世界平均）と考えられている２．４ｍＳｖ／年の範囲内である。
【００２２】
［α線、β線の線量の測定］
次に、機能布１２ａ，２２ａについて、次の方法でα線、β線の線量を測定した。
測定者：本願発明者
測定方法：ＧＭサーベイメータを用いた直接サーベイ法
測定器：産業科学株式会社製「ＲＡＭ  ＧＥＮＥ」
試  料：機能布から約３０ｃｍ×約３０ｃｍの正方形に切り出した試料
測定要領：図２３（ｂ）に示すように、床から１ｍ上で垂直姿勢にした試料の中心にサーベイメータの検知部を当てた。なお、サーベイメータは電源スイツチＯＮ後１分待って安定化させてから試料に当て、その後１分間の平均値を求めた。
測定結果：バックグラウンド（試料の無いとき）の線量当量率は５３ｃｐｍであった。これに対し、試料の線量当量率は１３８ｃｐｍであった。ちなみに、遠赤外線放射性ポリエステル繊維による中綿１１，２１の線量当量率はバックグラウンドのそれと変わらなかった。
測定結果の考察：ＧＭサーベイメータはα線、β線、γ線のいずれにも反応するが、前記測定により、機能布１２ａ，２２ａからγ線は放射されていないことが判明している。従って、この測定によりＧＭサーベイメータで検出された機能布１２ａ，２２ａの線量当量率は、前記のとおり人体への悪影響がないとされているα線又はβ線によるものといえる。但し、同メータではα線とβ線との判別はできない。
【００２３】
［マイナスイオンの測定］
次に、機能布１２ａ，２２ａについて、次の方法でマイナスイオンの発生量を測定した。
測定者：財団法人日本紡績検査協会近畿事業所
測定方法：イオンカウンター法
測定器：エコホリスティック製「イオンカウンターＥＢ−１２Ａ」
試  料：機能布から約３０ｃｍ×約３０ｃｍの正方形に切り出した試料
測定要領：図２３（ｃ）に示すように、試料を静置した状態で試料にイオンカウンターの検知部を当てて、試料に接した空気中のマイナスイオンの数を測定した。
測定結果：バックグラウンド試料の無いときの測定室内の空気中のマイナスイオンが４３個／ｍｌであった。これに対し、静置した状態の試料に接した空気中のマイナスイオンは１５４０〜１６６５個／ｍｌであった。
測定結果の考察：機能布を静置したときでも多数のマイナスイオンが発生したのは、天然放射性稀有元素鉱物からのα線又はβ線による作用（電離作用等）と考えられる。
【００２４】
次に、本実施例の敷布団１０及び掛布団２０を使用し、その作用効果を医学的に検証するための複数の被験者による臨床実験を、増子記念病院（愛知県名古屋市中村区）において医師伊藤晃氏の下で行い、測定は検査技師須崎千鶴氏が担当した。さらに、比較のため、次の比較例１〜３の敷布団及び掛布団についても行った。その内容と結果は以下のとおりである。
【００２５】
＜比較例１＞図２ａの遠赤外線もマイナスイオンも放射しないもの普通の敷布団１０１及び掛布団２０１
＜比較例２＞図２ｂのマイナスイオンのみを放射する敷布団１０２及び掛布団２０２：表布のみに実施例と同じ機能布を同領域に使用し、中綿には普通の中綿を使用したもの。
＜比較例３＞図２ｃの遠赤外線のみを放射する敷布団１０３及び掛布団２０３：中綿のみに実施例と同じ中綿を使用し、表布には普通の布を使用したもの。
＜実施例＞図２ｄの遠赤外線とマイナスイオンの両方を放射する敷布団１０及び掛布団２０
【００２６】
＜被験者＞
２０代の健康な（特に貧血がない）男女を被験者とした。
被験者Ａ：年齢２１歳、男性、身長１８１．２ｃｍ、体重６８．８ｋｇ
日常の飲酒は少々・タバコは無し
被験者Ｂ：年齢２１歳、男性、身長１８８．５ｃｍ、体重８３．２ｋｇ
日常の飲酒は少々・タバコは無し
被験者Ｃ：年齢２１歳、女性、身長１６０．６ｃｍ、体重６０．６ｋｇ
日常の飲酒は少々・タバコは無し
被験者Ｄ：年齢２０歳、女性、身長１６２．２ｃｍ、体重５３．２ｋｇ
日常の飲酒は少々・タバコは少々
被験者Ｅ：年齢２０歳、女性、身長１５２．４ｃｍ、体重５０．０ｋｇ
日常の飲酒は少々・タバコは無し
被験者Ｆ：年齢２０歳、女性、身長１６０．８ｃｍ、体重５６．９ｋｇ
日常の飲酒は少々・タバコは無し
【００２７】
＜手順＞
前日の午後９時までに食事を済ませ、以後は絶食とし（但し清涼飲料水を含む飲水は可とする）、当日は朝食は無し、午前９時に集合して、以下のプログラムを実行した。なお、休憩中は原則として安静にし、５０〜１５０ｍｌの水分補給をした。
１回目の検査・採血：一定室温の脳波測定室において、予め用意した体操着に着替え、しばらく腰掛けて休憩した後に行った。
２回目の検査・採血：比較例１の敷布団１０１及び掛布団２０１で３０分間寝てから、該布団を出て行った。
３回目の検査・採血：前記比較例１の布団を出て腰掛けて１時間休憩した後、比較例２の敷布団１０２及び掛布団２０２で３０分間寝てから、該布団を出て行った。
４回目の検査・採血：前記比較例２の布団を出て腰掛けて１時間休憩した後、比較例３の敷布団１０３及び掛布団２０３で３０分間寝てから、該布団を出て行った。
５回目の検査・採血：前記比較例３の布団を出て腰掛けて１時間休憩した後、本発明の実施例の敷布団１０及び掛布団２０で３０分間寝てから、該布団を出て行った。
【００２８】
＜検査内容＞
［１］ＭＣ−ＦＡＮ（Microchannel array Flow Analyzer：血液流動性測定装置）：採取した血液の状態を単位距離あたりの通過時間（流速）に基づいて検査するものであり、いわゆる血液の「サラサラ、ドロドロ」を表す。検査機器には日立ハイテクノロジーズ社の「ＭＣ−ＦＡＮ  血液サラサラモニタ  ＫＨ−３」を使用した。
［２］血液検査（生化学及び血球検査）：採血した血液を専門機関により分析した。
［３］サーモグラフ：被験者Ｅ，Ｆの手の温度（５本指の各指先と手甲１カ所との平均値）及び足の温度（５本指の各指先と手甲１カ所との平均値）を測定したものである。
【００２９】
＜検査結果＞
［１］ＭＣ−ＦＡＮの結果
図３に示すように、被験者Ａ，Ｂ，Ｃ，Ｄで、血液通過時間がマイナスイオンを曝露された３回目で短くなり、遠赤外線を曝露された４回目で長くなり、マイナスイオンと遠赤外線の両方を曝露された５回目で大幅に短くなった。このことは、遠赤外線による主として血管の拡張作用とマイナスイオンによる主として血液の流動性の上昇作用との相乗作用によって、被験者の血液の流れがよくなった結果であると推認される。なお、被験者Ａの１，２回目で異常に数値が高かったが、これは被験者Ａが日常生活において多忙で精神的ストレスがあったことによるものと考えられる。また、被験者Ｄの４回目は、手技上の問題（チップの洗浄等）と推測される。被験者Ｅではほとんど変化が無く、被験者Ｆでは、逆に５回目で血液通過時間が長くなった。
【００３０】
［２］血液検査の結果
図４〜図２１に、被験者Ａ〜Ｆの５回分の血液成分検査の結果を示す。いずれの検査結果も、病院から被験者に渡された報告書に基づく。
１．総コレステロール（図４）：有意差は認められない。
２．中性脂肪（図５）：５回目で低下した者もあるが、有意差かは不明。
３．血糖（図６）：全体的に５回目で上昇傾向にある。
４．ＬＤＬ−コレステロール（図７）：有意差は認められない。
５．ＨＤＬ−コレステロール（図８）：有意差は認められない。
６．白血球（図９）：５回目で減少した者もあるが、原因は不明である。
７．赤血球（図１０）
８．ヘモグロビン（図１１）
９．ヘマトクリット（図１２）：これら赤血球、ヘモグロビン、ヘマトクリットは全体的に５回目で低下傾向にあるが、これについは休憩中の水分補給の影響も考えられる。なお、被験者Ａの２回目でこれらの数値で著しい低下があるのは凝集と考えられる。
１０．ＭＣＶ（赤血球の大きさ）（図１３）：被験者Ｃ，Ｄ，Ｅ，ＦのＭＣＶ値が５回目で低下した。
１１．ＭＣＨ（個々の赤血球に含まれるヘモグロビン量）（図１４）：被験者Ａ，Ｄ，Ｅにおいて上昇傾向にある。
１２．ＭＣＨＣ（個々の赤血球に含まれるヘモグロビンの割合）（図１５）：被験者Ａ，Ｄ，Ｅにおいて上昇傾向にある。
１３．血小板数（図１６）：有意性が認められなかった。
１４．Ｂａｓｏ（好塩基球）（図１７）
１５．Ｅｏｓｉｎｏ（好酸球）（図１８）
１６．Ｎｅｕｔｒｏ（好中球）（図１９）
１７．Ｌｙｍｐｈ（リンパ球）（図２０）
１８．Ｍｏｎｏ（単球）（図２１）：Ｂａｓｏ、Ｅｏｓｉｎｏ、Ｎｅｕｔｒｏの全体的な下降傾向と、Ｌｙｍｐｈの全体的な上昇傾向とから、感染・免疫・アレルギーの面で何らかの治験が出る可能性がある。なお、特異な被験者Ａはこれと逆の傾向を示し、ＭＣ−ＦＡＮのデータを反映しているので、今後興味ある症例といえる。
【００３１】
［３］サーモグラフの結果
図２２に、被験者Ｅ，Ｆの手及び足の温度変化を示す。被験者Ｅ，Ｆはともに女性であるが、マイナスイオンを浴びた３回目や、遠赤外線を浴びた４回目と比べて、マイナスイオンと遠赤外線の両方を浴びた５回目で手及び足の温度が高くなった。末梢血管における血液の循環が高まったためであると考えられる。このように、冷え性が多いといわれる女性において顕著な結果が出た。
【００３２】
なお、本発明は前記実施例に限定されるものではなく、例えば以下のように、発明の趣旨から逸脱しない範囲で適宜変更して具体化することもできる。
（１）敷布団１０の表地１２において、下面側の全領域にはマイナスイオン発生性繊維を含まない布を使用してもよい。
（２）掛布団２０の表地２２において、上面側の全領域にもマイナスイオン発生性繊維を含む機能布を使用してもよい。
（３）敷布団１０のみ実施したり、掛布団２０のみ実施したりしてもよい。
（４）寝具用布団以外にも、肌掛布団、枕、マットレス、寝袋、ベッドパッド、ガウン、パジャマ等に具体化すること。
【図面の簡単な説明】
【００３３】
【図１】本発明に係る実施例の敷布団及び掛布団を示す断面図である。
【図２】臨床実験に使用した敷布団及び掛布団を示す断面図である。
【図３】血液通過時間に係る検査結果を示すグラフである。
【図４】総コレステロールに係る検査結果を示すグラフである。
【図５】中性脂肪に係る検査結果を示すグラフである。
【図６】血糖に係る検査結果を示すグラフである。
【図７】ＬＤＬ−コレステロールに係る検査結果を示すグラフである。
【図８】ＨＤＬ−コレステロールに係る検査結果を示すグラフである。
【図９】白血球に係る検査結果を示すグラフである。
【図１０】赤血球に係る検査結果を示すグラフである。
【図１１】ヘモグロビンに係る検査結果を示すグラフである。
【図１２】ヘマトクリットに係る検査結果を示すグラフである。
【図１３】ＭＣＶに係る検査結果を示すグラフである。
【図１４】ＭＣＨに係る検査結果を示すグラフである。
【図１５】ＭＣＨＣに係る検査結果を示すグラフである。
【図１６】血小板数に係る検査結果を示すグラフである。
【図１７】Ｂａｓｏに係る検査結果を示すグラフである。
【図１８】Ｅｏｓｉｎｏに係る検査結果を示すグラフである。
【図１９】Ｎｅｕｔｒｏに係る検査結果を示すグラフである。
【図２０】Ｌｙｍｐｈに係る検査結果を示すグラフである。
【図２１】Ｍｏｎｏに係る検査結果を示すグラフである。
【図２２】サーモグラフの検査結果を示すグラフである。
【図２３】機能布による（ａ）γ線量、（ｂ）α線又はβ線、（ｃ）マイナスイオンの各測定方法を示す説明図である。
【符号の説明】
【００３４】
１    中綿入り繊維製品
１０    敷布団
１１    中綿
１２    表地
１２ａ  機能布
２０    掛布団
２１    中綿
２２    表地
２２ａ  機能布
Ｂ    人体
【図１】
2006305304.tif 000003
【図２】
2006305304.tif 000004
【図３】
2006305304.tif 000005
【図４】
2006305304.tif 000006
【図５】
2006305304.tif 000007
【図６】
2006305304.tif 000008
【図７】
2006305304.tif 000009
【図８】
2006305304.tif 000010
【図９】
2006305304.tif 000011
【図１０】
2006305304.tif 000012
【図１１】
2006305304.tif 000013
【図１２】
2006305304.tif 000014
【図１３】
2006305304.tif 000015
【図１４】
2006305304.tif 000016
【図１５】
2006305304.tif 000017
【図１６】
2006305304.tif 000018
【図１７】
2006305304.tif 000019
【図１８】
2006305304.tif 000020
【図１９】
2006305304.tif 000021
【図２０】
2006305304.tif 000022
【図２１】
2006305304.tif 000023
【図２２】
2006305304.tif 000024
【図２３】
2006305304.tif 000025